(57)【要約】【課題】表示画像の倍率を変更した場合であっても、実画像に合成される修飾パターンのイメージを認識し易いようにすることができる表示制御装置及びこれを備えた印刷装置をを提供する。【解決手段】少なくとも１つの修飾パターン、及び各種類の修飾パターンについてそれぞれ倍率の異なる複数パターンを記憶し、且つ、実画像（修飾パターンが付加されていない画像）の表示倍率と修飾パターンの倍率との対応関係を示す修飾パターンテーブルをＲＯＭ４に記憶保存する。そして、表示画像を所望の表示倍率で画面表示する際には、実画像の表示倍率を対応テーブルに当てはめることにより所望の倍率となる修飾パターンを取得し、この修飾パターンを所望の表示倍率の実画像に合成して表示画像を生成し、画面表示する。【選択図】      図１
2006099629.tif 000002
【特許請求の範囲】
【請求項１】
実画像に修飾パターンを合成して表示画像を生成し、画面表示する表示制御装置において、
前記表示画像を基準倍率に対し所望の表示倍率に変倍して画面表示する際に、前記実画像を前記所望の表示倍率に変倍すると共に、予め記憶されている複数倍率の修飾パターンから、前記所望の表示倍率に対応する倍率の修飾パターンを選択し、選択した修飾パターンを前記実画像に合成して画面表示することを特徴とする表示制御装置。
【請求項２】
実画像に修飾パターンを合成して表示画像を生成し、画面表示する表示制御装置において、
１または複数種類の修飾パターン、及び各種類の修飾パターンについてそれぞれ倍率の異なる複数パターンを記憶し、且つ、前記実画像の表示倍率と前記修飾パターンの倍率との対応関係を記憶保存する対応テーブルと、
前記表示画像を所望の表示倍率で画面表示する際には、前記実画像の表示倍率を前記対応テーブルに当てはめることにより所望の倍率となる修飾パターンを取得し、この修飾パターンを前記所望の表示倍率の実画像に合成して表示画像を生成する表示画像生成手段と、
前記表示画像生成手段で生成された表示画像を画面表示する表示手段と、
を備えたことを特徴とする表示制御装置。
【請求項３】
前記対応テーブルは、前記実画像の表示倍率が大きいほど、対応する前記修飾パターンの倍率が大きくなるように設定されていることを特徴とする請求項２に記載の表示制御装置。
【請求項４】
前記表示制御手段は、前記実画像の表示倍率に閾値を設定し、実画像の表示倍率が前記閾値以下である場合には、前記対応テーブルを用いて実画像の表示倍率に対応する修飾パターンを取得して実画像に合成し、実画像の表示倍率が前記閾値よりも大きい場合には、画像処理により実画像の表示倍率と同一の倍率となる修飾パターンを生成して実画像に合成することを特徴とする請求項２または請求項３のいずれかに記載の表示制御装置。
【請求項５】
前記修飾パターンは、前記実画像の所望領域に網掛けする網掛けパターン、或いは実画像中に付加する枠線パターンのうちの少なくとも一方であることを特徴とする請求項１〜請求項４のいずれか１項に記載の表示制御装置。
【請求項６】
実画像に修飾パターンを合成して印刷対象となる表示画像を生成し、この表示画像を画面表示することにより、印刷イメージを確認することが可能な表示制御装置を備えた印刷装置において、
１または複数種類の修飾パターン、及び各種類の修飾パターンについてそれぞれ倍率の異なる複数パターンを記憶し、且つ、前記実画像の表示倍率と前記修飾パターンの倍率との対応関係を記憶保存する対応テーブルと、
前記表示画像を所望の表示倍率で画面表示する際には、前記実画像の表示倍率を前記対応テーブルに当てはめることにより所望の倍率となる修飾パターンを取得し、この修飾パターンを前記所望の表示倍率の実画像に合成して表示画像を生成する表示画像生成手段と、
前記表示画像生成手段で生成された表示画像を画面表示する表示手段と、
基準倍率となる実画像、及び基準倍率となる修飾パターンを合成した表示画像を印刷する印刷手段と、
を備えたことを特徴とする表示制御装置を備えた印刷装置。
【発明の詳細な説明】
【技術分野】
【０００１】
本発明は、実画像に修飾パターンを合成した画像を変倍して画面表示する際に、修飾パターンが違和感なく画面表示されるように制御する画像の表示制御装置に関する。
【背景技術】
【０００２】
例えば、印刷装置で印刷する画像の印刷イメージを印刷装置の表示画面で確認する際には、対象画像を表示させ、タッチパネル等の入力装置を用いて画像の移動、拡大、縮小の操作を行いながら、画像の確認作業を行う。このような印刷の対象となる画像は、実画像中に所望の領域を囲むための枠線を付加したり、或いは所望の領域に網掛けをする修飾パターンを合成することが多々行われる。
【０００３】
従来における画像表示装置では、修飾パターンを含む表示画像を表示画面に表示して画像の確認作業を行う際に、表示画像を変倍して表示すると、修飾パターンも同様にこの変倍率で変倍される。即ち、表示画像を拡大して表示すると、この表示画像中に含まれる修飾パターンがこの拡大率で拡大表示され、縮小して表示すると、修飾パターンがこの縮小率で縮小表示される。
【０００４】
しかしながら、修飾パターンは、本来実画像中の所望する領域を強調するために付されるものであり、見る人に対して、その領域に注意を引きつけることが目的であるので、実画像の変倍率と同一の変倍率で修飾パターンが変倍されると、実画像と修飾パターンとの間の差異が分かり難くなり、却って注意を引きつけるという効果が損なわれてしまう。
【０００５】
また、表示画像を縮小表示する際に、この縮小率と同一の縮小率で修飾パターンを縮小すると、修飾パターンとしての網掛けの画像が小さくなりすぎて、網掛け部分がつぶれてしまい、印刷イメージを把握し難くなるという欠点がある。
【０００６】
この問題を解決するために、表示画像を変倍する場合に、実画像のみを所望の変倍率で変倍し、これに合成する修飾パターンを変倍させずに、常に同一のサイズで実画像に合成表示する方法が考えられるが、実画像の変倍率に関わらず常に同一のサイズで表示すると、実画像と修飾パターンとの間の相対的な大きさに隔たりが発生し、イメージギャップが大きくなり、違和感が発生するという欠点があった。
【発明の開示】
【発明が解決しようとする課題】
【０００７】
上述したように、従来における表示制御装置では、表示画像を変倍する際に、実画像と修飾パターンを同一の変倍率で変倍すると、修飾パターンを付した領域の強調性が薄れてしまい、また、縮小時には、網掛けパターンがつぶれてしまい、却って見難くなるという問題があり、他方、修飾パターンを常に同一サイズとした場合には、変倍率が大きい場合、即ち、拡大率が大きい場合や縮小率が大きい場合には、実画像と修飾パターンとの間に大きなイメージギャップが生じてしまい、違和感を感じるという問題があった。
【０００８】
この発明は、このような従来の課題を解決するためになされたものであり、その目的とするところは、表示画像の倍率を変更した場合であっても、実画像に合成される修飾イメージを認識し易いようにすることができる表示制御装置及びこれを備えた印刷装置を提供することにある。
【課題を解決するための手段】
【０００９】
上記目的を達成するため、本願請求項１に記載の表示制御装置は、実画像に修飾パターンを合成して表示画像を生成し、画面表示する表示制御装置において、前記表示画像を基準倍率に対し所望の表示倍率に変倍して画面表示する際に、前記実画像を前記所望の表示倍率に変倍すると共に、予め記憶されている複数倍率の修飾パターンから、前記所望の表示倍率に対応する倍率の修飾パターンを選択し、選択した修飾パターンを前記実画像に合成して画面表示することを特徴とする。
【００１０】
請求項２に記載の表示制御装置は、実画像に修飾パターンを合成して表示画像を生成し、画面表示する表示制御装置において、１または複数種類の修飾パターン、及び各種類の修飾パターンについてそれぞれ倍率の異なる複数パターンを記憶し、且つ、前記実画像の表示倍率と前記修飾パターンの倍率との対応関係を記憶保存する対応テーブルと、前記表示画像を所望の表示倍率で画面表示する際には、前記実画像の表示倍率を前記対応テーブルに当てはめることにより所望の倍率となる修飾パターンを取得し、この修飾パターンを前記所望の表示倍率の実画像に合成して表示画像を生成する表示画像生成手段と、前記表示画像生成手段で生成された表示画像を画面表示する表示手段と、を備えたことを特徴とする。
【００１１】
請求項３に記載の表示制御装置は、前記対応テーブルは、前記実画像の表示倍率が大きいほど、対応する前記修飾パターンの倍率が大きくなるように設定されていることを特徴とする。
【００１２】
請求項４に記載の表示制御装置は、前記表示制御手段は、前記実画像の表示倍率に閾値を設定し、実画像の表示倍率が前記閾値以下である場合には、前記対応テーブルを用いて実画像の表示倍率に対応する修飾パターンを取得して実画像に合成し、実画像の表示倍率が前記閾値よりも大きい場合には、画像処理により実画像の表示倍率と同一の倍率となる修飾パターンを生成して実画像に合成することを特徴とする。
【００１３】
請求項５に記載の表示制御装置は、前記修飾パターンは、前記実画像の所望領域に網掛けする網掛けパターン、或いは実画像中に付加する枠線パターンのうちの少なくとも一方であることを特徴とする。
【００１４】
また、請求項６に記載の表示制御装置を備えた印刷装置は、実画像に修飾パターンを合成して印刷対象となる表示画像を生成し、この表示画像を画面表示することにより、印刷イメージを確認することが可能な表示制御装置を備えた印刷装置において、１または複数種類の修飾パターン、及び各種類の修飾パターンについてそれぞれ倍率の異なる複数パターンを記憶し、且つ、前記実画像の表示倍率と前記修飾パターンの倍率との対応関係を記憶保存する対応テーブルと、前記表示画像を所望の表示倍率で画面表示する際には、前記実画像の表示倍率を前記対応テーブルに当てはめることにより所望の倍率となる修飾パターンを取得し、この修飾パターンを前記所望の表示倍率の実画像に合成して表示画像を生成する表示画像生成手段と、前記表示画像生成手段で生成された表示画像を画面表示する表示手段と、基準倍率となる実画像、及び基準倍率となる修飾パターンを合成した表示画像を印刷する印刷手段と、を備えたことを特徴とする。
【発明の効果】
【００１５】
本願請求項１の発明では、表示画像を所望の表示倍率で表示する際には、実画像（修飾パターンが付加されていない画像）をこの表示倍率となるように変倍すると共に、修飾パターンを、この表示倍率に対応して予め設定された倍率の修飾パターンを選択して、実画像に合成するので、従来のように実画像と同一の倍率で修飾パターンが変倍されることによる違和感やパターンのつぶれを回避することができ、また、実画像の表示倍率に関わらず常時同一の倍率で修飾パターンを合成することによるイメージギャップの隔たりを防止することができ、操作者にとって見易い画像表示が可能となる。
【００１６】
請求項２の発明では、実画像の表示倍率と各種の修飾パターンの倍率との対応関係を対応テーブルに記憶保存しておき、実画像の表示倍率が変更された際には、変更された表示倍率に対応するサイズの修飾パターンを対応テーブルを参照することにより取得し、この修飾パターンを実画像中の所望領域に合成するので、実画像の表示倍率に応じた、操作者が視認し易いサイズで修飾パターンを表示することができ、実画像に修飾パターンが合成された表示画像を違和感なく見ることができるようになる。
【００１７】
請求項３の発明では、実画像の表示倍率が大きくなるほど、対応する修飾パターンの倍率が大きくなるように、対応テーブルが設定されるので、実画像の拡大、或いは縮小の表示倍率の変更に適したサイズの修飾パターンを実画像に合成させることができる。
【００１８】
請求項４の発明では、実画像の表示倍率に閾値を設定し、この閾値未満の場合にのみ対応テーブルを参照して修飾パターンの倍率を設定し、閾値以上の場合には、実画像の表示倍率と同一の倍率で修飾パターンを変倍するので、実画像を極めて小さい状態まで縮小する際に、修飾パターンが小さくなりすぎて画像がつぶれてしまうという問題を回避することができ、常に鮮明な状態で修飾パターンを確認することができる。
【００１９】
請求項５の発明では、修飾パターンとして、実画像中に付加する枠線、或いは実画像中の所望領域に付加する網掛けパターンを用いるので、変倍率が大きいときに枠線が太くなりすぎたり、或いは変倍率が小さいときに枠線が細くなりすぎるという問題を回避することができ、また、変倍率が大きいときに網掛けパターンの間隔が広くなりすぎたり、変倍率が小さいときに網掛けパターンがつぶれるといった問題を回避することができる。
【００２０】
請求項６の発明では、印刷機で印刷する際の印刷イメージを画面上で確認する際に、実画像に付加される修飾パターンが、対応テーブルに記憶されている倍率で実画像に合成されるので、操作者は修飾パターンの存在を違和感なく認識することができ、印刷イメージの認識性を向上させることができる。
【発明を実施するための最良の形態】
【００２１】
以下、本発明の実施形態を図面に基づいて説明する。図１は、本発明の一実施形態に係る表示制御装置の構成を示すブロック図であり、本実施形態では、印刷装置で印刷する画像を画面表示してその印刷内容を確認する場合の画面表示を例に挙げている。
【００２２】
同図に示すように、この表示制御装置は、主制御を行うＣＰＵ１と、パネル２と、ＲＡＭ３と、ＲＯＭ４に大別して構成されている。
【００２３】
パネル２は、各種の入力操作を行う入力部２１と、画像データを表示する表示部２２とを有しており、更に、入力部２１は、表示対象となる画像の表示倍率を設定する倍率設定手段２１１と、実画像に対して付加する修飾パターンを選択する修飾パターン選択手段２１２と、実画像中の修飾パターンを付加するエリアを指定する対象エリア指定手段２１３とを備えている。また、表示部２２は、画像を画面表示する画像表示手段２２１を備えている。
【００２４】
また、本実施形態では、タッチパネルを用いることにより、入力部２１と表示部２２とを一体として構成した場合を例に挙げて説明する。
【００２５】
ＲＯＭ４は、ＣＰＵ１における表示制御プログラムを記憶保存すると共に、後述する修飾パターンテーブル、及び実修飾パターンを記憶保存する。
【００２６】
ＲＡＭ３は、倍率設定手段２１１で設定された画像の表示倍率を記憶する倍率記憶手段３１と、スキャナー、ハードディスク、或いはパソコン等の画像入力手段５より出力される実画像データを一時的に記憶保存する画像データ記憶手段３２とを備えている。更に、画像データ記憶手段３２は、画像入力手段５より得られる実画像と、この実画像に合成する網パターン、及びこの網パターンを付加するエリアを組にしたデータ、及び枠線パターンを修飾パターンデータとして記憶保存する。
【００２７】
ＣＰＵ１は、上述したスキャナー、ハードディスク、パソコン等の画像入力手段５より出力される画像データを実画像として入力する入力制御手段１１と、入力された実画像を倍率設定手段２１１にて設定された倍率で拡大、或いは縮小処理する画像処理手段１３と、この画像処理手段１３で処理された画像に対し、必要に応じて修飾パターンとしての網掛けパターン或いは枠線を付加する処理を行い、出力画像を生成する出力画像生成手段１４と、この出力画像生成手段１４で生成された画像を表示部２２に表示するべく制御する表示制御手段１２とを備えている。
【００２８】
また、ＣＰＵ１は、プリントエンジン（印刷手段）６と接続されており、該プリントエンジン６は、画像入力手段５より入力された実画像に、実サイズの修飾パターン（以下、「実修飾パターン」という）を合成した画像データに基づいて原紙を製版する製版部６１と、製版された原紙を用いて印刷用紙への印刷を行う印刷部６２とを備えている。ここで、印刷手段としては、孔版印刷機、コピー機、インクジェットプリンタ等が挙げられる。
【００２９】
次に、ＲＯＭ４に記憶保存される修飾パターンテーブル（対応テーブル）について説明する。上述したように、実画像に付加する修飾パターンとしては、実画像中の所望位置に枠線を付する枠線パターンと、実画像中の所望の領域内に網掛けする網掛けパターンの２つが存在し、ＲＯＭ４内には、実画像の表示倍率と枠線パターンの大きさとの関係を示す枠線パターンテーブル、及び実画像の表示倍率と網掛けパターンの大きさとの関係を示す網掛けパターンテーブルの、２つのテーブルが記憶保存されている。
【００３０】
また、枠線には、複数種類の太さ、及び線種（実線、点線、鎖線等）が存在するので、枠線パターンテーブルには、多種類の枠線パターンについての対応データが保存され、網掛けパターンには、複数種類のパターンが存在するので、多種類の網掛けパターンについての対応データが保存されている。
【００３１】
図２〜図４は、網掛けパターンテーブルの具体的な例を示す説明図であり、図２（ａ）は密なドットをマス目状に並べた網掛けパターンを示し、同図（ｂ）は密なドットを千鳥状に並べた網掛けパターンを示し、同図（ｃ）は疎なドットをマス目状に並べた網掛けパターンを示している。また、図３（ａ）は疎なドットを千鳥状に並べた網掛けパターンを示し、同図（ｂ）はスラッシュ型のハッチを示し、同図（ｃ）はバックスラッシュ型のハッチを示している。更に、図４（ａ）は格子型のハッチを示し、同図（ｂ）は横線ハッチを示している。
【００３２】
そして、上記した各網掛けパターンテーブルの上に記載した「２５％未満」、「２５〜４９％」、「５０〜９９％」、「１００％（等倍）」は、実画像の表示倍率を示しており、「１００％（等倍）」に示したパターンが、実修飾パターンのサイズ（実画像の表示倍率と同一の倍率）を示している。なお、上記では、表示倍率１００％の基準倍率に対して縮小する場合についてのデータのみを示しているが、実画像の表示倍率が１５０％、２００％といったように拡大する場合についても、同様の対応データが記憶されている。
【００３３】
また、図５，図６は、枠線パターンテーブルの具体的な例を示す説明図であり、図５（ａ）は細線、（ｂ）は太線、（ｃ）は極太線の枠線パターンを示している。また、図６（ａ）は細かい破線、（ｂ）は粗い破線、（ｃ）は二重線を示している。
【００３４】
そして、上記した網掛けパターンテーブルと同様に、「２５％未満」、「２５〜４９％」、「５０〜９９％」、「１００％（等倍）」は、実画像の表示倍率を示しており、「１００％（等倍）」に示したパターンが、実修飾パターンのサイズ（実画像の表示倍率と同一の倍率）を示している。
【００３５】
次に、上記の如く構成された本実施形態に係る表示制御装置の作用を、図７，図８に示すフローチャート、及び図９〜図１１に示す表示説明図を参照して説明する。図７は、網掛けパターンを選択して、選択した網掛けパターンを実画像中の所望領域に表示する処理手順を示すフローチャートである。
【００３６】
図１に示す画像入力手段５よりＣＰＵ１に実画像（修飾パターンが付加されていない画像）が入力されると、この実画像は入力制御手段１１にて読み取られ、ＲＡＭ３の画像データ記憶手段３２に記憶されると共に、表示部２２に画面表示される（ステップＳＴ１）。
【００３７】
このときの実画像は、予め設定した基準倍率（表示倍率１００％）で表示部２２に画面表示されると共に、倍率設定手段２１１により、操作者が表示倍率を設定することができ、該倍率設定手段２１１にて表示倍率が設定された場合には、この表示倍率で画面表示される。この際、設定された表示倍率は、倍率記憶手段３１に記憶される。
【００３８】
そして、操作者がこの表示画面を見ながら、実画像中の所望する領域に網掛けパターンを書き込む操作を行う場合には、対象エリア指定手段２１３を操作して、図９に示すように、網掛けする領域Ｒを設定する（ステップＳＴ２）。次いで、修飾パターン選択手段２１２を操作することにより網修飾コマンドを入力する（ステップＳＴ３）。
【００３９】
すると、画面上に網掛けパターン選択画像が表示される（ステップＳＴ４）。図１０は網掛けパターン選択画像の一例を示す説明図であり、同図（ａ）は網掛け操作がオフとなっている状態、同図（ｂ）は網掛け操作がオンとなっている状態を示している。操作者は、図１０（ａ）に示すオフ状態から、図中「１」〜「８」に示す各網掛けパターンのうち、所望するものを選択して、この番号をタッチパネルで入力することにより、表示する網掛けパターンを選択する（ステップＳＴ５）。図１０（ｂ）は、１番の網パターン（図２（ａ）に示したパターンに対応）を選択した場合を示しており、番号「１」の部分が反転表示されている。
【００４０】
次いで、画像中に示されてる「確定」ボタンをタッチすることにより、選択する網掛けパターンを決定すると（ステップＳＴ６）、表示されていた網掛けパターン選択画像（図１０に示した画像）が消去され（ステップＳＴ７）、元の実画像表示に戻る。
【００４１】
そして、ＣＰＵ１の出力画像生成手段１４は、このときの実画像の表示倍率を倍率記憶手段３１より読み取り（ステップＳＴ８）、この表示倍率を上述した網掛けパターンテーブルに当てはめることにより、網掛けする領域Ｒに書き込む網掛けパターンのサイズを決定する（ステップＳＴ９）。
【００４２】
つまり、実画像の表示倍率が１００％であるときには、図２（ａ）の符号Ｐ４に示すサイズの網掛けパターンが選択され、実画像の表示倍率が５０〜９９％であるときには、符号Ｐ３に示す網掛けパターンが選択され、同様に表示倍率が２５％〜４９％であるときには符号Ｐ２、２５％未満の場合には符号Ｐ１に示す網掛けパターンが選択される。その後、この選択された網掛けパターンを実画像中に設定した網掛け領域Ｒに合成表示する（ステップＳＴ１０）。
【００４３】
これにより、実画像の表示倍率に応じたサイズの網掛けパターンを所望する領域Ｒに合成表示させることができる。
【００４４】
次に、表示部２２に表示されている画像の表示倍率を変更する際の処理手順を図８に示すフローチャートを参照しながら説明する。操作者が表示部２２を見ながら表示倍率を変更する場合には、倍率設定手段２１１を操作することにより、表示画像の拡大率、或いは縮小率を変倍率として設定する（ステップＳＴ２１）。
【００４５】
この時の変倍率は、倍率記憶手段３１に記憶され、且つ、画像処理手段１３は、この変倍率となるように実画像を変倍する処理を行う。また、出力画像生成手段１４は、ＲＯＭ４に記憶されている網掛けパターンテーブルを参照して、設定された変倍率に対応するサイズの網掛けパターンを選択し（ステップＳＴ２２）、このサイズの網掛けパターンを、変倍後の実画像中の領域Ｒに書き込む処理を行う（ステップＳＴ２３）。
【００４６】
こうして、実画像の表示倍率を変更した場合には、変倍した実画像を画面表示することができ、且つ、これと連動して所望の領域Ｒに書き込む網掛けパターンのサイズを変更させることができる。
【００４７】
図１１は、実画像を拡大表示させたときの、修飾パターンのサイズの変化を示す説明図であり、同図（ａ）は実画像が基準倍率で表示されている場合を示し、同図（ｂ）は実画像を拡大して表示した場合を示している。そして、同図から、実画像が拡大表示された際には、この拡大率に対応したサイズの網掛けパターンが合成表示されることが理解される。
【００４８】
また、上記した実施形態では、所望する領域Ｒ内に書き込んで合成表示する網掛けパターンのサイズを、実画像の表示倍率に連動して変更する場合の例について説明したが、修飾パターンとしての枠線を合成表示する場合についても同様の処理により、実画像の表示倍率に連動して変更させることができる。
【００４９】
即ち、図５，図６に示したように、ＲＯＭ４には各種の枠線パターン毎に実画像の表示倍率に対する枠線の太さ或いは間隔を決める枠線パターンテーブルが記憶されているので、実画像の表示倍率が設定された際には、この表示倍率を枠線パターンテーブルに当てはめることにより、枠線パターンの太さ或いは間隔が決定されて実画像中の所望位置に書き込むことができる。これにより、実画像の変倍率に応じた好適なサイズの枠線を表示することができる。
【００５０】
このようにして、本実施形態に係る表示制御装置、及び表示制御装置を備えた印刷装置では、実画像の表示倍率に対する各種修飾パターン（網掛けパターン或いは枠線パターン）の表示パターンを修飾パターンテーブルをＲＯＭ４に記憶しておき、実画像の表示倍率が設定された場合には、この表示倍率に対応するサイズの修飾パターンを選択して、実画像中の所望領域に合成するようにしている。
【００５１】
そして、修飾パターンテーブルには、実画像の表示倍率を縮小する場合について、４段階の修飾パターンのサイズが設定されているので、実画像の表示倍率の変化に対して、修飾パターンのサイズがルーズに変化することになる。例えば、実画像の表示倍率が９０％から６０％に変化した場合には、実画像はこの表示倍率で小さく表示されるけれども、図２（ａ）に示した網掛けパターンの例では、網掛けパターンのサイズは、同一のサイズである符号Ｐ３のパターンが選択されることになり、変化しない。
【００５２】
従って、実画像の倍率変化に対して、修飾パターンのサイズがむやみに変化しないことにより、操作者にとって極めて見易いかたちでの修飾パターン表示が可能となる。
【００５３】
また、実画像の表示倍率が２５％未満のときの網掛けパターンのサイズを、図２（ａ）の符号Ｐ１に示すように、網掛けパターンを構成する各ドットが、画像データの１ピクセルとなるように設定すれば、実画像を極めて小さい状態まで縮小して表示した場合でも、網掛けパターンは、一つのドットに１ピクセルが割り当てられるので、網掛けパターンがつぶれて表示されることはなく、鮮明に網掛けパターンを表示することができる。
【００５４】
また、上記した実施形態では、実画像の表示倍率全体に亘って、この表示倍率に対応する修飾パターンのサイズを設定する例について説明したが、実画像の表示倍率に閾値を設定し、この閾値未満の場合にのみ、対応する修飾パターンのサイズを修飾パターンテーブルに設定し、閾値以上の場合には、従来方法と同様に、実画像の表示倍率と同一の倍率で修飾パターンを変倍して表示するようにすることも可能である。
【００５５】
このような構成においても、最小となる網掛けパターンとして、一つのドットに１ピクセルを割り当てるようにすれば、実画像の表示倍率が極めて小さい場合であっても、網掛けパターンがつぶれてしまうという問題を回避することができる。
【００５６】
以上、本発明の表示制御装置及びこれを備えた印刷装置を図示の実施形態に基づいて説明したが、本発明はこれに限定されるものではなく、各部の構成は、同様の機能を有する任意の構成のものに置き換えることができる。
【００５７】
例えば、上記した実施形態で示した表示制御装置は、印刷装置に用いる場合を例に挙げて説明したが、本発明に係る表示制御装置は、必ずしも印刷装置に用いるもののみに限定されるものではなく、その他の画像表示についても適用することができるものである。
【００５８】
また、上記した実施形態では、図２〜図４、或いは図５，図６の各修飾パターンテーブルに示したように、実画像の縮小率に対して４段階のサイズの表示パターンを設定する場合について説明したが、本発明はこれに限定されるものではなく、２段階、３段階、或いは５段階以上とすることも可能である。
【産業上の利用可能性】
【００５９】
実画像に修飾パターンを合成した画像を画面上で見るときの見栄えの良さを向上させる上で極めて有用である。
【図面の簡単な説明】
【００６０】
【図１】本発明の一実施形態に係る表示制御装置の構成を示すブロック図である。
【図２】網掛けパターンテーブルに設定されている各種網掛けパターンを示す説明図の第１の分図である。
【図３】網掛けパターンテーブルに設定されている各種網掛けパターンを示す説明図の第２の分図である。
【図４】網掛けパターンテーブルに設定されている各種網掛けパターンを示す説明図の第３の分図である。
【図５】枠線パターンテーブルに設定されている各種枠線パターンを示す説明図の第１の分図である。
【図６】枠線パターンテーブルに設定されている各種枠線パターンを示す説明図の第２の分図である。
【図７】実画像に修飾パターンを合成して表示する際の処理手順を示すフローチャートである。
【図８】画面表示されている画像の表示倍率を変更する際の処理手順を示すフローチャートである。
【図９】実画像中に網掛けパターンを付加する領域を設定したときの画像を示す説明図である。
【図１０】網掛けパターン設定画像の例を示す説明図である。
【図１１】所望領域に網掛けパターンが付加されている画像を示す説明図であり、（ａ）は基準倍率で表示した場合、（ｂ）はこれを拡大して表示した場合を示す。
【符号の説明】
【００６１】
１  ＣＰＵ
２  パネル
３  ＲＡＭ
４  ＲＯＭ
５  画像入力手段
６  プリントエンジン
１１  入力制御手段
１２  表示制御手段
１３  画像処理手段
１４  出力画像生成手段
２１  入力部
２２  表示部
３１  倍率記憶手段
３２  画像データ記憶手段
６１  製版部
６２  印刷部
２１１  倍率設定手段
２１２  修飾パターン選択手段
２１３  対象エリア指定手段
２２１  画像表示手段
【図１】
2006099629.tif 000003
【図２】
2006099629.tif 000004
【図３】
2006099629.tif 000005
【図４】
2006099629.tif 000006
【図５】
2006099629.tif 000007
【図６】
2006099629.tif 000008
【図７】
2006099629.tif 000009
【図８】
2006099629.tif 000010
【図９】
2006099629.tif 000011
【図１０】
2006099629.tif 000012
【図１１】
2006099629.tif 000013